(57)【要約】【課題】  波長４５０ｎｍ以下の短波長半導体レーザを使用した場合でも、短波長のレーザ光が光ファイバとフェルールとを固定している接着剤を劣化させることのない半導体レーザモジュールを提供する。【解決手段】  波長４５０ｎｍ以下のレーザ光を発生させる半導体レーザと、レーザ光を導くホルダと、ホルダに固定されたフェルールを支持するフェルールホルダと、フェルールが先端部に接着された光ファイバとを有する半導体レーザモジュールにおいて、光ファイバのクラッド部のフェルール接着面に金属膜をメッキした。【選択図】図３
2005294684.tif 000002
【特許請求の範囲】
【請求項１】
波長４５０ｎｍ以下のレーザ光を発生させる半導体レーザと、前記レーザ光を導くホルダと、前記ホルダに固定されたフェルールを支持するフェルールホルダと、前記フェルールが先端部に接着された光ファイバとを有する半導体レーザモジュールにおいて、前記光ファイバのクラッド部のフェルール接着面に金属膜をメッキしたことを特徴とする半導体レーザモジュール。
【請求項２】
前記フェルールと光ファイバとの接着に熱硬化性樹脂を用いたことを特徴とする請求項１記載の半導体レーザモジュール。
【発明の詳細な説明】
【技術分野】
【０００１】
本発明は、光ファイバから出射される波長４５０ｎｍ以下の短波長のレーザ光を用いて光記録を行う光記録装置などに用いられる、短波長半導体レーザから出射する短波長のレーザ光を光ファイバに入射する半導体レーザモジュールに関するものである。
【背景技術】
【０００２】
半導体レーザから出射するレーザ光を光ファイバに入射する半導体レーザモジュールでは、半導体レーザから出射したレーザ光をレンズにより光ファイバ端面に結像させる構成が知られている。光ファイバは光ファイバを覆っている被覆を取り、１２５μｍ径のクラッド部をむきだしにしてフェルールに挿入し、エポキシ系の接着剤で接着されている。
【０００３】
【特許文献１】特開平９−１４６０２３号公報
【発明の開示】
【発明が解決しようとする課題】
【０００４】
半導体レーザから出射したレーザ光を光ファイバに入射する半導体レーザモジュールでは、光ファイバへの結合効率を大きくし、安定化させることが重要な課題である。しかし、波長４５０ｎｍ以下の短波長の半導体レーザを用いた場合は、光ファイバ端面に入射した短波長のレーザ光の内、コア部に伝搬されない損失光が、光ファイバをフェルールに接着している接着剤に照射され、短波長のレーザ光が接着剤を劣化させ、半導体レーザモジュールを不安定にしてしまうことがある。
【０００５】
本発明の目的は、短波長の半導体レーザを用いても、短波長のレーザ光が光ファイバをフェルールに接着する接着剤を劣化させない半導体レーザモジュールを提供することにある。
【課題を解決するための手段】
【０００６】
本発明は、波長４５０ｎｍ以下のレーザ光を発生させる半導体レーザと、前記レーザ光を導くホルダと、前記ホルダに固定されたフェルールを支持するフェルールホルダと、前記フェルールが先端部に接着された光ファイバとを有する半導体レーザモジュールにおいて、前記光ファイバのクラッド部のフェルール接着面に金属膜をメッキしたことを特徴とする。
【発明の効果】
【０００７】
本発明によれば、半導体レーザモジュールに短波長半導体レーザを使用した場合でも、短波長のレーザ光が光ファイバとフェルールとを接着固定している接着剤を劣化させることがなく、接着強度を維持することができる。
【発明を実施するための最良の形態】
【０００８】
以下、本発明の実施例を図面を用いて説明する。従来の半導体レーザモジュールでは、図４に示したように光ファイバ端面に入射されたレーザ光の内、コア部１９に導波しないレーザー光が光ファイバクラッド部１１とフェルール９とを接着固定している接着剤２１に照射されていた。光ファイバ入射端面での光強度に比べビームが広がり、光強度が弱くなっているため問題にはならなかった。
【０００９】
しかし、発振波長が４５０ｎｍ以下である短波長半導体レーザを使用した場合は、短波長のレーザ光が長時間、光ファイバクラッド部１１とフェルール９とを接着固定している接着剤２１に照射されることになり、接着剤２１を劣化させ、光ファイバとフェルールとの接着強度が低下し不安定になってしまう。
【００１０】
そこで本発明では、図５に示すように光ファイバクラッド部１１に金属メッキ２０を施すことにより、光ファイバに入射されたレーザ光の内、コア部１９に導波しないレーザ光が、光ファイバとフェルールとを接着固定している接着剤２０に照射されないようにした。これにより、短波長の半導体レーザを使用した半導体レーザモジュールであっても、短波長のレーザ光が光ファイバとフェルールとを接着固定している接着剤２０に照射されて接着剤を劣化させ、接着強度を低下させることがなくなる。
【００１１】
図２および図３に本発明の半導体レーザモジュールの一実施例を示す。図２に示したようにホルダ１６にはレンズ１７が熱硬化型接着剤により接着固定され、半導体レーザ１は、パルス発振ＹＡＧレーザによるレーザ溶接固定されている。光ファイバは、図２、図３に示すように、光ファイバ先端部の被覆を剥がした後、被覆を剥がした光ファイバクラッド部１１にＮｉメッキを施す。その後、フェルールに挿入し、熱硬化型接着剤で接着固定する。
【００１２】
同様にフェルール９はフェルールホルダ１４に挿入され、熱硬化型接着剤で接着固定されている。フェルールホルダには平板ガラス１５がＵＶ樹脂で接着固定されている。半導体レーザから出射したレーザ光はレンズ１７により集光された後、光ファイバに入射される。レーザ光の光ファイバへの調心は、縦方向はホルダ１８とホルダ１６をスライドさせることによって行い、横方向の調心はホルダ１６と平板ガラス１５をスライドさせることによって行っている。
【００１３】
結合効率が最大になるように調心した後、ホルダ１６とホルダ１８はレーザ溶接により固定し、ホルダ１６と平板ガラス１５とはＵＶ樹脂接着により固定する。
【００１４】
図１に本発明の短波長半導体レーザモジュールを使用した光記録装置の実施例を示す。短波長半導体レーザ１から出射したレーザ光はモジュール内のレンズによりシングルモード光ファイバ３に導かれる。このレーザモジュール部は複数個準備され、それぞれの光ファイバの出射端面をアレイ状に高精度に配列される。高精度に配列された光ファイバアレイ４から出射した複数本のレーザ光はレンズ５によりポリゴンミラー６上に導かれる。ポリゴンミラー６を反射したビームはＦθレンズ７を通過した後、感光ドラム８上に結像され、走査される。
【図面の簡単な説明】
【００１５】
【図１】光記録装置の概略構成図。
【図２】本発明の半導体レーザモジュールの構成図。
【図３】フェルールと光ファイバとの接着部の断面図。
【図４】従来のフェルールと光ファイバとの接着部の説明図。
【図５】本発明のフェルールと光ファイバとの接着部の説明図。
【符号の説明】
【００１６】
１  短波長半導体レーザ
２  半導体レーザモジュール
３  光ファイバ
４  光ファイバアレイ
５  レンズ
６  ポリゴンミラー
７  Ｆθレンズ
８  感光ドラム
９  フェルール
１０  光ファイバ被覆部
１１  光ファイバクラッド部
１２  光ファイバ端面
１３  ＵＶ樹脂
１４  フェルールホルダ
１５  平板ガラス
１６  ホルダ
１７  レンズ
１８  ホルダ
１９  光ファイバコア部
２０  金属メッキ
２１  接着剤
２２  レーザ光
【図１】
2005294684.tif 000003
【図２】
2005294684.tif 000004
【図３】
2005294684.tif 000005
【図４】
2005294684.tif 000006
【図５】
2005294684.tif 000007